(57)【特許請求の範囲】
【請求項１】
被検体にＸ線を曝射するＸ線発生部と前記被検体を透過したＸ線を検出するＸ線検出器とを支持する支持体と、
前記被検体に対して前記支持体を回転・移動して前記被検体を透視するように制御する制御部と、
前記透視に基づいて透視画像を生成するとともに、前記透視画像上に設定されたＲＯＩ内の透視画像をもとにアブレーション用カテーテルの先端位置を認識して、焼灼対象位置に対応する焼灼ポイントを示す画像を生成する画像処理部と、
前記ＲＯＩ内の透視画像に前記焼灼ポイントを示す画像を表示し、前記ＲＯＩ外に前記透視に基づいて生成した透視画像のＬＩＨ（Last Image Hold）像を表示する表示部と、
を具備する医用画像診断装置。
【請求項２】
前記画像処理部は、複数フレームの前記ＲＯＩ内の透視画像に含まれる前記アブレーション用カテーテルの先端の平均位置を算出して、前記焼灼ポイントを示す画像を生成する請求項１記載の医用画像診断装置。
【請求項３】
前記アブレーション用カテーテルの先端をどこに移動するかをポインタによって指示するポインティングデバイスを備え、前記透視画像上に設定されたＲＯＩの中心を前記ポインタによって指示し、
前記画像処理部は、前記ポインタで指示した位置を順次に記憶し、前記記憶した位置に前記焼灼ポイントを示す画像を生成する請求項１記載の医用画像診断装置。
【請求項４】
被検体にＸ線を曝射するＸ線発生部と前記被検体を透過したＸ線を検出するＸ線検出器とを支持した支持体を回転・移動して前記被検体を透視し、
前記透視に基づいて透視画像を生成するとともに、前記透視画像上に設定されたＲＯＩ内の透視画像をもとにアブレーション用カテーテルの先端位置を認識して、焼灼対象位置に対応する焼灼ポイントを示す画像を生成し、
前記ＲＯＩ内の透視画像に前記焼灼ポイントを示す画像を表示し、前記ＲＯＩ外に前記透視に基づいて生成した透視画像のＬＩＨ（Last Image Hold）像を表示する医用画像処理方法。
【請求項５】
複数フレームの前記ＲＯＩ内の透視画像に含まれる前記アブレーション用カテーテルの先端画像の平均位置を算出して、前記焼灼ポイントを示す画像を生成する請求項４記載の医用画像処理方法。
【請求項６】
前記透視画像上に設定されたＲＯＩの中心をポインティングデバイスのポインタによって指示し、
前記ポインタで指示した位置を順次に記憶し、前記記憶した位置に前記焼灼ポイントを示す画像を生成する請求項４記載の医用画像処理方法。
【発明の詳細な説明】
【技術分野】
【０００１】
本発明の実施形態は、アブレーションによる不整脈治療をする際に、焼灼ポイントを透視画像上に時系列的に表示する医用画像診断装置及び医用画像処理方法に関する。
【背景技術】
【０００２】
従来のＸ線診断装置（例えばアンギオ装置）では、被検体に対してＸ線を発生するＸ線発生部と、被検体を透過したＸ線を２次元的に検出しＸ線投影データを生成するＸ線検出部を備えている。Ｘ線発生部とＸ線検出部は、アーム（一般にＣアームと呼ばれる）に支持されており、Ｃアームを寝台上の被検体の体軸方向に移動、又は被検体の体軸周りに回転することで、被検体を様々な方向から撮影することができる。
【０００３】
また従来では、Ｘ線診断装置にてアブレーションによる不整脈治療が行われている。アブレーションとは、不整脈治療の一種で、アブレーション用カテーテルを血管から挿入して心臓内に運び、不整脈の発生起因となる信号の発生源や、信号の伝播通路となる心壁や肺静脈血管内に対し、アブレーション用カテーテル先端を押し当て、高周波エネルギーを放出することで、組織を焼灼（火傷状態にする）し、不整脈起因の信号が心壁内を通れなくすることで、不整脈を治療する方法である。
【０００４】
また近年の不整脈治療では、ＣＡＲＴＯなどの３次元電位マッピングシステムの発達により、カテーテルアブレーションによる治療時間の短縮、治療成績の向上が得られている。（非特許文献１参照）。
【０００５】
特に不整脈の一種である心房細動を引き起こす信号発生場所は、９０％が肺静脈の左心房への出口周辺であり、この肺静脈出口付近をぐるりと焼灼することで、不整脈信号が伝播しないようにする治療が多い。肺静脈の出口周辺をぐるりと焼灼するには、どこを焼灼したかの履歴を画像で残すことが重要となる。
【０００６】
しかしながら、実際には透視画像上でカテーテルの位置、心臓の位置、肺静脈の出口などを確認しながら、アブレーションを進めているが、焼灼履歴を透視画像上に残すことができず、カテーテルの位置等を認識することができないという不具合があった。
【先行技術文献】
【非特許文献】
【０００７】
【非特許文献１】東京都立広尾病院：Electro-anatomicalマッピング法（CARTOシステム）平成１４年８月    ＜URL:http://www.byouin.metro.tokyo.jp/hiroo/5_electro.html＞
【発明の概要】
【発明が解決しようとする課題】
【０００８】
発明が解決しようとする課題は、アブレーションによる不整脈治療を支援するため、焼灼したポイントを透視画像上に表示する医用画像診断装置及び医用画像処理方法を提供することにある。
【課題を解決するための手段】
【０００９】
実施形態に係る医用画像診断装置は、被検体にＸ線を曝射するＸ線発生部と前記被検体を透過したＸ線を検出するＸ線検出器とを支持する支持体と、前記被検体に対して前記支持体を回転・移動して前記被検体を透視するように制御する制御部と、前記透視に基づいて透視画像を生成するとともに、前記透視画像上に設定されたＲＯＩ内の透視画像をもとにアブレーション用カテーテルの先端位置を認識して、焼灼対象位置に対応する焼灼ポイントを示す画像を生成する画像処理部と、前記ＲＯＩ内の透視画像に前記焼灼ポイントを示す画像を表示し、前記ＲＯＩ外に前記透視に基づいて生成した透視画像のＬＩＨ（Last Image Hold）像を表示する表示部と、を具備する。
【図面の簡単な説明】
【００１０】
【図１】一実施形態に係る医用画像診断装置の構成を示すブロック図。
【図２】一実施形態における医用画像診断装置の全体構造を示す斜視図。
【図３】カテーテルアブレーション治療を概略的に説明する図。
【図４】不整脈の一種である心房細動を引き起こす信号発生場所を示す図。
【図５】アブレーション用カテーテルでの焼灼ポイントを透視画像上に表示する処理を示すフローチャート。
【図６】図５のフローチャートの処理を説明する説明図。
【図７】第２の実施形態におけるアブレーション用カテーテルでの焼灼ポイントを透視画像上に表示する処理を示すフローチャート。
【図８】図７のフローチャートの処理を説明する説明図。
【発明を実施するための形態】
【００１１】
以下、実施形態に係る医用画像診断装置について図面を参照して詳細に説明する。尚、各図において同一箇所については同一の符号を付す。
【実施例１】
【００１２】
図１は、一実施形態に係る医用画像診断装置の構成を示すブロック図である。図１の医用画像診断装置は、例えば、アンギオ装置と呼ばれるＸ線画像診断装置１００であり、被検体Ｐに対してＸ線を発生するＸ線発生部１０と、被検体Ｐを透過したＸ線を２次元的に検出するとともに、検出結果に基づいてＸ線投影データを生成するＸ線検出部２０を備えている。
【００１３】
Ｘ線発生部１０は、Ｘ線管１１とＸ線絞り器１２を有するＸ線照射部と、高電圧制御部１３と高電圧発生器１４を備えている。Ｘ線管１１は、Ｘ線を発生する真空管であり、陰極（フィラメント）より放出された電子を高電圧により加速してタングステン陽極に衝突させＸ線を発生する。高電圧制御部１３は、システム制御部５０（後述）からの指示信号に従って高電圧発生器１４を制御し、Ｘ線管１１の管電流、管電圧、Ｘ線パルス幅、照射周期、撮影区間、照射時間等からなるＸ線照射条件の制御を行なう。
【００１４】
Ｘ線検出部２０は、平面検出器（ＦＰＤ：Flat Panel Detector）２１と、平面検出器２１から読み出された電荷を電圧に変換する電荷・電圧変換器２２と、電荷・電圧変換器２２の出力をデジタル信号に変換するＡ／Ｄ変換器２３を備え、Ａ／Ｄ変換器２３からＸ線投影データを出力する。
【００１５】
Ｘ線発生部１０と、Ｘ線検出部２０はアーム（Ｃアーム）２４に支持されている。Ｃアーム２４は、寝台の天板２５に載置した被検体Ｐの体軸方向に移動可能であり、また被検体Ｐの体軸周りに回転可能である。尚、Ｘ線発生部１０とＸ線検出部２０は撮影部２６を構成し、Ｃアーム２４を回転することで、撮影部２６は被検体Ｐの周囲を回転し、異なる複数の角度方向から被検体Ｐを撮影することができる。
【００１６】
またＸ線画像診断装置１００は、画像処理部３０を備えている。画像処理部３０は、Ａ／Ｄ変換器２３からのＸ線投影データを処理して画像データの生成と保存を行なうもので、画像データ記憶部３１と演算部３２を含む。画像データ記憶部３１には、Ｘ線投影データが順次保存されて画像データが生成される。また演算部３２は、生成された画像データに対し、必要に応じて輪郭強調やＳ／Ｎ改善等を目的とした画像処理や演算を行なう。また被検体Ｐの生体信号、例えばＥＣＧ信号（心電波形）、心音図波形、脈波等を計測するＥＣＧ計測部３３を有している。
【００１７】
画像処理部３０で処理された画像データは、画像データ記憶部３１から読み出され、表示部３５に供給される。表示部３５は、画像データの表示を行うため、表示データ生成部３６、変換部３７、モニタ３８を備えている。表示データ生成部３６は、画像データに対して付帯情報を合成したり、所定の表示フォーマットへの変換を行って表示データを生成する。また変換部３７は、表示データに対してＤ／Ａ（デジタル／アナログ）変換とテレビフォーマット変換を行なって映像信号を生成し、この映像信号を液晶等のモニタ３８に表示する。
【００１８】
また画像処理部３０は、バスライン３９を介してシステム制御部５０に接続されている。画像データ記憶部３１と演算部３２はシステム制御部５０の制御のもとに画像データを処理する。
【００１９】
システム制御部５０は、ＣＰＵと記憶回路（図示せず）を備え、操作部５１から供給された入力情報、設定情報及び選択情報に基づいてバスライン３９を介してＸ線画像診断装置１００の各ユニットを統括的に制御する制御部を構成する。
【００２０】
操作部５１は医師等のユーザが各種コマンドの入力等を行なうもので、マウス、トラックボール、ジョイスティック等のポインティングデバイス５２や、キーボード、表示パネルあるいは各種スイッチ等を備えたインタラクティブなインターフェースを有する。以下の説明では、ポインティングデバイス５２としてマウスを例に説明する。また操作部５０は、天板２５の移動方向や移動速度の設定、撮像系の回動／移動方向及び回動／移動速度の設定、管電圧や管電流を含むＸ線照射条件の設定等を行なう。
【００２１】
またＸ線画像診断装置１００は、移動機構部４０を備えている。移動機構部４０は、絞り移動制御部４１と機構制御部４２を有する。絞り移動制御部４１は、Ｘ線絞り器１２における絞り羽根等の移動制御を行ない、ＲＯＩ（関心領域：Region of Interest）を設定する。機構制御部４２は、被検体Ｐを載置する天板２５の移動機構４３や、Ｃアームを回転移動する回転移動機構４４の制御を行う。移動機構部４０は、操作部５１の操作に応答して動作し、システム制御部５０の制御のもとに各部の移動制御を行う。
【００２２】
図２は、Ｘ線画像診断装置１００（アンギオ装置）の全体的な構成を示す斜視図である。図２において、Ｘ線発生部１０とＸ線検出部２０がＣアーム２４によって対向して支持されている。またＣアーム２４に対して寝台が配置されており、寝台の天板２５には、被検体（図示せず）が載置され、天板２５の位置及び高さは機構制御部４２によって制御可能である。
【００２３】
Ｃアーム２４は、例えば天井部に設けられたレールに支持され、被検体の頭部（Cranial）から脚部（Caudal）に向かう体軸方向に移動可能である。またＣアーム２４の回転により撮影部２６（Ｘ線発生部１０とＸ線検出部２０）は、被検体の周囲を体軸回りに回転することができる。また撮影部２６をＣアーム２４に沿ってスライド回転することができる。
【００２４】
Ｘ線投影データは、画像処理部３０によって処理され、画像データをモニタ３８に表示する。モニタ３８は、例えば天井部に取り付けられている。また、寝台には操作部５１１を取り付けており、操作部５１１の操作に応答してシステム制御部５０は、天板２５の高さの制御、Ｃアーム２４の移動／回転の制御、Ｘ線の照射範囲の調整、照射タイミングの制御等を行う。
【００２５】
図３は、カテーテルアブレーション治療を概略的に説明する図である。図３においては、高周波発生装置６０を備え、不整脈治療する際にアブレーション用カテーテル６１を血管から挿入し、心臓内に運ぶ。心房細動の場合、左房にまでアブレーション用カテーテル６１を運び、不整脈の発生起因となる信号の発生源や、信号の伝播通路となる心壁や肺静脈血管内に対し、アブレーション用カテーテルの先端を押し当てる。図３の枠Ａ内に示すようにアブレーション用カテーテル６１の先端に設けた電極６２から高周波エネルギーを放出することで、組織を焼灼（火傷状態にする）し、不整脈起因の信号が心壁内を通れなくするで、不整脈を治療する。
【００２６】
不整脈の一種である心房細動を引き起こす信号発生場所は、図４に示すように９０％が肺静脈の左心房への出口周辺（点線Ｂ）であり、この肺静脈出口付近をぐるりと焼灼することで、不整脈信号が伝播しないように治療する。
【００２７】
ところで、肺静脈の出口周辺をぐるりと焼灼するには、どこを焼灼したかの履歴を画像で残すことが重要である。実施形態では、透視画像上でカテーテルの位置、心臓の位置、肺静脈の出口などを確認しながら、アブレーションを進めることができ、かつ焼灼履歴（アブレーションの履歴）を残すようにしたものである。
【００２８】
以下、画像処理部３０による画像処理について説明する。画像処理部３０は、アブレーション用カテーテルでの焼灼ポイントを、透視画像上に表示するもので、図５のフローチャートに従って処理を行う。
【００２９】
図５において、ステップＳ１では、撮影部２６により透視を行う。透視を終了するとモニタ３８にはＬＩＨ画像を表示する。即ち、Ｘ線画像診断装置１００では、線量の少ないＸ線を照射してＸ線画像を得る「透視」と、線量の多いＸ線を照射して画像データを記録し、記録した画像データから診断情報を得る「撮影」がある。また透視終了の際に得た透視像を静止画像としてモニタに表示することがあるが、この静止画像をＬＩＨ（Last Image Hold）画像と称する。
【００３０】
ステップＳ２では、部分撮影（透視）を実施するＲＯＩを選択する。部分撮影（透視）とは、ＲＯＩ透視のことである。ステップＳ３では、Ｘ線曝射の不要領域を絞り羽根で覆い、必要なエリアのみＸ線を照射する。つまり、画像上で、Ｘ線を照射させたい領域を選択した後、部分撮影（透視）専用のフットスイッチを押すことで、自動的に設定したＲＯＩの外側に絞り羽根が入り、ＲＯＩ内だけにＸ線が当たる。また、ＲＯＩの外側は絞り羽根が入っていて、暗画像になっているが、ＲＯＩの外側にはＬＩＨ画像を残す。
【００３１】
ステップＳ４では、アブレーション用カテーテル６１の先端に設けた電極６２から高周波エネルギーを放出して組織を焼灼する。また、ＲＯＩ内を透視した画像のデータを複数フレーム分、画像データ記憶部３１に保存する。
【００３２】
次にステップＳ５では、透視した各フレーム上で、アブレーション用カテーテルの先端を決定する。元々アブレーションでは、電位を測るカテーテル、アブレーション用カテーテル等、沢山のカテーテルが心臓に入っており、通常の透視下では、どれがアブレーション用カテーテルであるか区別が付き難い。しかし、実際には、アブレーション用カテーテルの先端は、少し特殊な形状をしており、また電極数も少ないので、特長はある。
【００３３】
また部分撮影（透視）を実施するときは、基本的にアブレーション（焼灼）を実行している時であり、且つ、Ｘ線照射エリアはＲＯＩ設定内に限られているため、アブレーション用カテーテルの認識がしやすく、ソフトウェアによる認識ミスが少ない。したがって、アブレーション用カテーテルの先端は、先端形状の学習や、電極数から認識する。
【００３４】
アブレーション用カテーテルの先端が認識できれば、部分撮影（透視）でＸ線照射した複数フレームの画像を収集して画像データ記憶部３１に保管し、各フレームでのアブレーション用カテーテルの先端の位置を計算する。
【００３５】
その後、ステップＳ６では、複数フレームでのアブレーション用カテーテルの先端の各位置の平均位置を割り出すことにより、焼灼ポイントを算出する。焼灼ポイントの算出は、複数フレームの画像をもとに算出される。
【００３６】
ステップＳ７では、算出した焼灼ポイントを示す画像を生成して透視画像上に表示する。以下、同様にしてＲＯＩを設定し、次の焼灼ポイントにアブレーション用カテーテルの先端を移動して焼灼し、ＲＯＩ内を透視した画像データを複数フレーム分、画像データ記憶部３１に保存する。またそれぞれの焼灼ポイントを算出し、順次に焼灼ポイントの画像を生成して透視画像上に表示する。
【００３７】
したがって、透視画像上には各焼灼ポイントを時系列的に表示することができ、アブレーション履歴を表示することができる。アブレーション履歴の表示により、アブレーションによる焼灼残しがおきにくく、正確なアブレーションができる。
【００３８】
尚、焼灼ポイントは、ユーザの意思により、表示に加えるかどうかを選択することができる。また焼灼ポイントは、透視画像上だけでなく、参照画像上に表示しても良い。参照画像は、造影剤を投与した状態の透視画像であり、例えば一般の透視画像の隣に並べて表示する画像である。
【００３９】
図６は、図５のフローチャートの処理を説明する画像例であり、Ｓ１〜Ｓ７は、図５のステップＳ１〜Ｓ７の符号に合わせている。
【００４０】
図６の（Ｓ１）は、撮影部２６により透視を行った後のモニタに表示された画像（ＬＩＨ画像または参照画像等）を示す。ここではＬＩＨ画像を示す。図６の（Ｓ２）は、部分撮影（透視）を実施するＲＯＩの選択を示し、モニタに表示された画像（ＬＩＨ画像または参照画像等）からＲＯＩを選択する。ＲＯＩの選択は、絞り移動制御部４１を制御して行い、Ｘ線曝射の不要領域を絞り羽根で覆い、必要なエリアのみＸ線を照射する。ＲＯＩの選択により、設定したＲＯＩの外側に絞り羽根が入り、ＲＯＩ内だけにＸ線が当たる。図６（Ｓ２）では、ＲＯＩの外側は絞り羽根が入っていて、暗画像になっているが、ＲＯＩの外側にはＬＩＨ画像を残す。つまり、ＲＯＩ内の透視画像のみが更新される。
【００４１】
次にアブレーション用カテーテル６１の先端に設けた電極６２から高周波エネルギーを放出して組織を焼灼する。また、ＲＯＩ内を透視した画像データは、複数フレーム分、画像データ記憶部３１に保存され、透視した各フレーム上で、アブレーション用カテーテルの先端を決定する。
【００４２】
図６の（Ｓ５ａ）ではＲＯＩ内の画像を拡大して示している。図６（Ｓ５ａ）では、アブレーション用カテーテル６１の先端６２を、その先端形状や電極数等の特長から認識する。また透視を行う間、心臓が動く。例えば矢印Ｃ方向に動くものとすると、図６の（Ｓ５ｂ）に示すようにアブレーション用カテーテルの先端６２も動く。そこで、複数フレームでのアブレーション用カテーテルの先端の各位置の平均位置を算出する。また平均位置を焼灼ポイントとし、図６の（Ｓ６）に示すように、焼灼ポイントを示す画像Ｄ１を生成する。
【００４３】
以下、同様にして次の焼灼ポイントにアブレーション用カテーテルの先端を移動して焼灼し、ＲＯＩ内を透視した画像データを複数フレーム分、画像データ記憶部３１に保存し、それぞれの焼灼ポイントを示す画像Ｄ１，Ｄ２，Ｄ３…を生成する。
【００４４】
そして、図６の（Ｓ７）に示すように、焼灼ポイントを示す画像Ｄ１，Ｄ２，Ｄ３…を透視画像上に時系列的に表示する。したがって、透視画像上にはアブレーション履歴を表示することができる。図６の（Ｓ７ａ）は、焼灼ポイントを示す画像Ｄ１，Ｄ２，Ｄ３…を拡大して示す図であり、アブレーション履歴を表示することができる。
【００４５】
第１の実施形態では、人の手を介さず、アブレーション用カテーテルによる焼灼点を時系列的に透視モニタ上に表示できるようになる。その結果、焼灼した場所を認識しながら、手技を進めることができ、かつ焼灼漏れを軽減することができる。つまり、短時間で、アブレーション治療を実施などが可能となり、医者、技師、看護士、患者の負担低減、及び被曝低減などの効果が期待できる。
【実施例２】
【００４６】
次に第２の実施形態について説明する。第２の実施形態では、アブレーション用カテーテルを認識せずに、焼灼ポイントを示す画像を生成して表示するものである。第２の実施形態では、図１において、マウス５２とモニタ３８間の信号ライン５３と、演算部３２とモニタ３８間の信号ライン５４が追加される。
【００４７】
第２の実施形態では、アブレーション用カテーテルの先端をどこに移動するかをマウス５２（ポインティングデバイス）によって指示し、焼灼ポイントを指定して焼灼するものである。
【００４８】
図７は、第２の実施形態においてアブレーション用カテーテルでの焼灼ポイントを透視画像上に表示する際のフローチャートを示す。図７のステップＳ１１では、撮影部２６により透視を行う。透視を終了するとモニタ３８にはＬＩＨ画像を表示する。
【００４９】
ステップＳ１２では、部分撮影（透視）を実施するＲＯＩを選択する。つまり、部分撮影（透視）の実施時は、ＬＩＨ画像上で、マウス５２を用いてポインタを移動してアブレーション用カテーテルの先端位置を指定し、そこをＲＯＩの中心としてスポットエリアを設定する。
【００５０】
選択したスポットエリアの中心が、アブレーションの中心位置と考えることができる（心房細動は、左房の治療であり、左房は心筋が大きく動くことはないため、この考えが適用できる）。したがって、ステップＳ１３において、演算部３２は、ポインタの位置をＲＯＩの中心として捉え、アブレーション用カテーテルの先端と認識する。そして認識した位置を画像データ記憶部３１に記憶する。
【００５１】
ステップＳ１４では、記憶した位置に焼灼ポイントを示す画像を生成し、透視画像上に表示する。以下、順次に焼灼ポイントを移動してアブレーション用カテーテルの先端を認識し、認識した位置に焼灼ポイントを示す画像を時系列的に表示することで、アブレーション履歴を表示する。
【００５２】
図８（ａ）は、ＲＯＩを選択した状態を示しており、マウス５２を用いて、ポインタＥを動かし、ＲＯＩの中心位置にアブレーション用カテーテルの先端がくるように指示する。
【００５３】
図８（ｂ）は、ポインタＥの位置をＥ１からＥ２にずらしてＲＯＩの位置を変えた状態を示す。システム制御部５０は、ＲＯＩの中心、つまりポインタＥの位置をアブレーション用カテーテルの先端と認識して、その位置を画像データ記憶部３１に記憶する。したがって、マウス５２によってポインタＥの位置を順次に変えて、アブレーション用カテーテルの先端位置を指示することにより、透視画像上には焼灼ポイントを示す画像Ｄ１，Ｄ２を表示することができる。
【００５４】
図８（ｃ）は、アブレーション履歴の表示例を示し、画像Ｄ１，Ｄ２，Ｄ３…は、図６（Ｓ７ａ）に相当する図である。尚、焼灼ポイントは、ユーザの意思により、表示に加えるかどうかを選択することができる。また焼灼ポイントは、透視画像上だけでなく、参照画像上に表示しても良い。
【００５５】
第２の実施形態によれば、アブレーション用カテーテルを認識せずに、焼灼ポイント（アブレーション履歴）を表示することができる。
【００５６】
以上述べたように本発明の実施形態によれば、アブレーション用カテーテルによる焼灼ポイントを時系列的にモニタ上に表示することができ、焼灼した場所を認識しながら、手技を進めることができる。また焼灼漏れを軽減することができ、短時間で、アブレーション治療を実施することができる。
【００５７】
尚、以上の実施形態では、Ｘ線検出部２０に平面検出器２１を用いる例を述べたが、平面検出器２１に代えてＸ線Ｉ．Ｉ．（Image Intensifier）とＸ線ＴＶカメラを含むＸ線検出部を用いることもできる。
【００５８】
以上、本発明のいくつかの実施形態を述べたが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００５９】
１００…医用画像診断装置（Ｘ線画像診断装置）
１０…Ｘ線発生部
１１…Ｘ線管
２０…Ｘ線検出部
２１…平面検出器
２４…Ｃアーム
２５…天板
２６…撮影部
３０…画像処理部
３１…画像データ記憶部
３２…演算部
３５…表示部
３９…バスライン
４０…移動機構部
４１…絞り移動制御部
５０…システム制御部
５１…操作部
５２…ポインティングデバイス
【図１】
0005865664.tif 000002
【図２】
0005865664.tif 000003
【図４】
0005865664.tif 000004
【図５】
0005865664.tif 000005
【図７】
0005865664.tif 000006
【図３】
0005865664.tif 000007
【図６】
0005865664.tif 000008
【図８】
0005865664.tif 000009